(57)【要約】【課題】ハードウェア資源を増設することなく、監視データを取得するための処理負荷を低減させることが可能な機器監視装置および機器監視方法を提供する。【解決手段】実施形態によれば、機器監視装置は、解析部と、データ取得部と、データ保存部と、監視画面情報生成部とを有する。解析部は、監視画面情報を生成するために保持された監視画面構成情報を解析し、必要な監視データ識別情報を抽出する。データ取得部は、抽出された監視データ識別情報に対応する機器から監視データを取得する。データ保存部は、取得された監視データを保存する。監視画面情報生成部は、保存された監視データを用い、保持された監視画面構成情報に基づいて監視画面情報を生成する。【選択図】図１
2012163996.tif 000002
【特許請求の範囲】
【請求項１】
監視データを取得する複数の機器に接続された機器監視装置において、
監視画面情報を生成するための、必要な監視データ識別情報を含む監視画面構成情報を保持する監視画面構成情報保持部と、
前記監視画面構成情報保持部に保持された監視画面構成情報を解析し、前記監視データ識別情報を抽出する解析部と、
前記複数の機器のうち、前記解析部で抽出された監視データ識別情報に対応する機器から監視データを取得するデータ取得部と、
前記データ取得部で取得された監視データを保存する監視データ保存部と、
前記監視データ保存部に保存された監視データを用い、前記監視画面構成情報保持部に保持された監視画面構成情報に基づいて、監視画面情報を生成する監視画面情報生成部と
を備えることを特徴とする機器監視装置。
【請求項２】
前記解析部は、抽出した監視データ識別情報を保存し、前記監視画面構成情報が変更されたときに、変更後の監視画面構成情報を解析して抽出した監視データ識別情報で、保存した監視データ識別情報を更新し、
前記データ取得部は、前記解析部で抽出され保存された監視データ識別情報に対応する機器から監視データを取得する
ことを特徴とする請求項１に記載の機器監視装置。
【請求項３】
前記監視画面構成情報保持部には複数の監視画面構成情報が保持され、
前記解析部は、前記監視画面構成情報保持部に保持された複数の監視画面構成情報を解析し、前記監視データ識別情報を抽出し、
ことを特徴とする請求項１または２に記載の機器監視装置。
【請求項４】
Ｗｅｂブラウザを利用して前記監視画面情報生成部で生成された監視画面情報を表示する複数の表示装置に接続され、
前記データ取得部は、前記複数の表示装置のうち、Ｗｅｂブラウザによりブラウジングが実行されている表示装置を検出し、検出された表示装置から送信された監視画面情報要求に対応する監視画面構成情報に含まれる監視データ識別情報のみに対応する監視データを取得し、
前記監視画面情報生成部は、前記送信された監視画面情報要求に対応する監視画面構成情報に基づいて、監視画面情報を生成する
ことを特徴とする請求項３に記載の機器監視装置。
【請求項５】
前記データ取得部は、所定時間周期で前記監視データを取得し、前記監視画面情報要求の送信頻度が高い程、当該監視画面構成情報に含まれる監視データ識別情報に対応する監視データの取得周期を短くする
ことを特徴とする請求項４に記載の機器監視装置。
【請求項６】
前記データ取得部は、予め設定された時間帯に、前記監視データを取得する
ことを特徴とする請求項１〜５いずれか１項に記載の機器監視装置。
【請求項７】
監視データを取得する複数の機器に接続された機器監視装置が、
監視画面情報を生成するための、必要な監視データ識別情報を含む監視画面構成情報を保持する監視画面構成情報保持ステップと、
前記監視画面構成情報保持ステップで保持された監視画面構成情報を解析し、前記監視データ識別情報を抽出する解析ステップと、
前記複数の機器のうち、前記解析ステップで抽出された監視データ識別情報に対応する機器から監視データを取得するデータ取得ステップと、
前記データ取得ステップで取得された監視データを保存する監視データ保存ステップと、
前記監視データ保存ステップで保存された監視データを用い、前記監視画面構成情報保持ステップで保持された監視画面構成情報に基づいて、監視画面情報を生成する監視画面情報生成ステップと
を有することを特徴とする機器監視方法。
【発明の詳細な説明】
【技術分野】
【０００１】
本発明の実施形態は、機器監視装置および機器監視方法に関する。
【背景技術】
【０００２】
従来、ビル内の監視システムでは、空調、照明、衛生、防災、防犯等に関する諸設備に利用される多数の機器を中央監視装置で一括して管理することで、省エネ効果の向上や管理者の手間の省力化を図ることが行われている。
【０００３】
このような監視制御システム内では、中央監視装置をサーバ装置とし、管理者が必要な監視データをサーバ装置から取得して閲覧する表示装置をクライアント装置としてサーバ・クライアントシステムを構成することが多い。
【０００４】
近年はこのサーバ・クライアントシステムにＷｅｂ技術を用い、クライアント装置において必要なデータを一定周期でサーバ装置に要求し、これによりサーバ装置から取得された監視対象のデータをＷｅｂブラウザで表示している。
【先行技術文献】
【特許文献】
【０００５】
【特許文献１】特開２００５−２９１６１０号公報
【発明の概要】
【発明が解決しようとする課題】
【０００６】
しかし上記監視制御システムにおいて、中央監視装置に複数の表示装置が接続されている場合、各表示装置からデータが要求される都度、中央監視装置から各機器（コントローラ等）に必要データを要求するため、各機器における処理負荷が高くなり機器の動作に支障をきたす可能性があるという問題があった。
【０００７】
これを解決するため、中央監視装置において一定周期で全機器から監視データを収集して装置内のメモリに保存しておき、いずれかの表示装置から要求があったときにこのメモリ内の必要データを送信するように構成する技術がある。
【０００８】
このようにシステムを構成することにより各コントローラの処理負荷が低減されるが、中央監視装置において保存するデータ量が膨大になるためメモリの容量が多く必要になり、ハードウェアコストも増加するという問題があった。
【０００９】
本発明上記事情に鑑みてなされたものであり、ハードウェア資源を増設することなく、監視データを取得するための処理負荷を低減させることが可能な機器監視装置および機器監視方法を提供することを目的とする。
【課題を解決するための手段】
【００１０】
上記目的を達成するための実施形態によれば、機器監視装置は、解析部と、データ取得部と、データ保存部と、監視画面情報生成部とを有する。解析部は、監視画面情報を生成するために保持された監視画面構成情報を解析し、必要な監視データ識別情報を抽出する。データ取得部は、抽出された監視データ識別情報に対応する機器から監視データを取得する。データ保存部は、取得された監視データを保存する。監視画面情報生成部は、保存された監視データを用い、保持された監視画面構成情報に基づいて監視画面情報を生成する。
【図面の簡単な説明】
【００１１】
【図１】一実施形態による機器監視装置を利用した監視システムの構成を示すブロック図である。
【図２】一実施形態による機器監視装置において実行される監視データ保存処理の動作を示すフローチャートである。
【図３】一実施形態による機器監視装置において実行される監視画面情報生成処理の動作を示すフローチャートである。
【発明を実施するための形態】
【００１２】
〈一実施形態による機器監視装置を用いた監視システムの構成〉
本発明の一実施形態による機器監視装置を利用した監視システムの構成について、図１を参照して説明する。
【００１３】
本実施形態による監視システム１は、監視対象のビル内に設置された複数のコントローラ１０−１〜１０−ｎと、これらのコントローラ１０−１〜１０−ｎに接続された中央の機器監視装置２０と、この機器監視装置２０に接続された複数の表示装置としてのクライアントＰＣ３０−１〜３０−ｍとを有する。
【００１４】
各コントローラ１０−１〜１０−ｎは、監視対象のビル内の設備機器の動作状態を計測する計測部１１と、この計測部１１で計測された監視データを機器監視装置２０に送信するデータ送信部１２とを有する。
【００１５】
機器監視装置２０は、監視画面構成情報保持部２１と、ＨＴＭＬ文書解析部２２と、監視データ取得部２３と、監視データ保存部２４と、監視画面情報生成部２５とを有する。
【００１６】
監視画面構成情報保持部２１は、予め生成された、監視画面を生成するための監視画面構成情報を保持する。この監視画面構成情報はＨＴＭＬ文書で生成されており、必要な監視データを識別する監視データ識別情報を含む。
【００１７】
ＨＴＭＬ文書解析部２２は、監視画面構成情報保持部２１に保持されたＨＴＭＬ文書による監視画面構成情報を解析して必要な監視データ識別情報を抽出する。
【００１８】
監視データ取得部２３は、ＨＴＭＬ文書解析部２２で抽出された監視データ識別情報に対応する監視データを取得するための監視データ取得要求を生成して対応するコントローラ１０に送信し、この監視データ取得要求を送信したことによりコントローラ１０から送信された監視データを受信する。
【００１９】
監視データ保存部２４は、監視データ取得部２３で受信された監視データを保存する。
【００２０】
監視画面情報生成部２５はいずれかのクライアントＰＣ３０−１〜３０−ｍから監視画面情報要求が送信されたときに、監視データ保存部２４に保存された監視データを用い、監視画面構成情報保持部２１に保持された監視画面構成情報に基づいて、監視画面情報を生成する。
【００２１】
各クライアントＰＣ３０−１〜３０−ｍは、監視員により操作されるパーソナルコンピュータであり、監視員によりＷｅｂブラウザを利用して監視画面情報を要求する操作が行われたときには監視画面情報要求を生成して機器監視装置２０に送信し、この監視画面情報要求を送信したことにより機器監視装置２０から送信された監視画面情報を受信する監視画面情報取得部３１と、この監視画面情報取得部で取得された監視画面情報を表示するモニタ３２とを有する。
【００２２】
〈一実施形態による機器監視装置を用いた監視システムの動作〉
次に、本実施形態における監視システム１の動作について説明する。
【００２３】
本実施形態において、機器監視装置２０の監視画面構成情報保持部２１には、予め生成された、監視画面を生成するための監視画面構成情報が保持されている。この監視画面構成情報はＨＴＭＬ文書で生成されており、必要な監視データを識別する監視データ識別情報を含んでいる。
【００２４】
このように監視画面構成情報が保持されている状態で、監視システム１が稼働すると、機器監視装置２０において予め設定された一定時間間隔でコントローラ１０−１〜１０−ｎの中から必要な監視データが取得されて保存される監視データ保存処理が行われる。
【００２５】
機器監視装置２０において実行される監視データ保存処理の動作を、図２のフローチャートに示す。
【００２６】
まず機器監視装置２０において、前回の監視データ保存処理の実行から予め設定された一定時間が経過したか否かが監視され（Ｓ１）、一定時間が経過したと判断されると（Ｓ１の「YES」）、ＨＴＭＬ文書解析部２２において監視画面構成情報保持部２１に保持された監視画面構成情報が取得される。
【００２７】
そして、ＨＴＭＬ文書解析部２２において取得された監視画面構成情報が解析され、必要な監視データの識別情報が抽出される（Ｓ２）。
【００２８】
次に監視データ取得部２３において、ＨＴＭＬ文書解析部２２で抽出された監視データ識別情報に対応する監視データを取得するための監視データ取得要求が生成され、対応するコントローラ１０に送信される（Ｓ３）。
【００２９】
監視データ取得要求が送信されたコントローラ１０では、計測部１１で計測された対応する設備機器の動作状態を示す監視データがデータ送信部１２において取得され、機器監視装置２０に送信される。
【００３０】
機器監視装置２０では、コントローラ１０から送信された監視データが監視データ取得部２３で取得され、監視データ保存部２４に保存される（Ｓ４）。
【００３１】
このようにステップＳ２〜Ｓ４の処理が一定周期で繰り返されることにより、所定時間間隔で取得された必要な監視データのみが順次監視データ保存部２４に保存されている状態で、機器監視装置２０において実行される監視画面情報生成処理について図３のフローチャートを参照して説明する。
【００３２】
まず、いずれかのクライアントＰＣ３０において監視員によりＷｅｂブラウザを利用して監視画面情報を要求する操作が行われると、監視画面情報取得部３１において監視画面情報要求が生成され、機器監視装置２０に送信される。
【００３３】
機器監視装置２０では、監視画面情報生成部２５において、いずれかのクライアントＰＣ３０から送信された監視画面情報要求が受信されたか否かが監視され（Ｓ１１）、受信されたと判断されると（Ｓ１１の「YES」）、監視画面情報生成部２５において監視画面構成情報保持部２１に保持された監視画面構成情報に基づいて、監視画面情報が生成される（Ｓ１２）。
【００３４】
ここで、監視画面情報生成部２５において監視画面情報が生成される際は、当該監視画面構成情報に含まれる監視データ識別情報に対応する監視データが監視データ保存部２４に保存された監視データの中から取得されて利用される。
【００３５】
監視画面情報生成部２５において生成された監視画面情報は、監視画面情報要求の送信元のクライアントＰＣ３０に送信される（Ｓ１３）。
【００３６】
監視画面情報要求の送信元のクライアントＰＣ３０では、監視画面情報取得部３１において監視画面情報が取得され、モニタ３２に表示される。
【００３７】
以上の本実施形態によれば、機器監視装置において、接続されたクライアントＰＣにおいて監視対象となっている監視データのみを一定時間間隔で取得して保存しておき、これを用いて適宜監視画面情報を生成するため、クライアントＰＣから監視画面生成要求が送出される都度コントローラに監視データを要求する必要がなく、監視対象となっていないデータについては保存領域を確保しなくてよいため必要以上に大容量でなくてよく、効率よく必要な監視画面情報を生成することができる。
【００３８】
上述した本実施形態において、機器監視装置の監視画面構成情報保持部に複数の監視画面構成情報を保持しておき、監視員がクライアントＰＣから監視画面情報を要求する操作を行う際に所望の監視画面構成情報を選択して機器監視装置に送信するようにしてもよい。
【００３９】
また上述した本実施形態によれば、機器監視装置において、監視画面構成情報保持部に保持されている監視画面構成情報をＨＴＭＬ文書解析部で一定時間ごとに解析して監視データの取得に利用する場合について説明したが、一度抽出された監視データ識別情報はＨＴＭＬ文書解析部に保存しておき、この保存した情報を再度利用して一定期間ごとに監視データの取得を行うようにしてもよい。このとき、ＨＴＭＬ文書が変更されたときにはこの変更後のＨＴＭＬ文書の解析を実行することにより抽出した監視データ識別情報で、保存した監視データ識別情報を更新するようにしてもよい。このように構成することにより、さらに機器監視装置の負荷を低減させることができる。
【００４０】
また機器監視装置において、接続されたクライアントＰＣごとに予め生成された監視画面構成情報に基づいて必要な監視データ識別情報を抽出する場合について説明したが、監視データ取得部において、接続されたクライアントＰＣのうちモニタにおいてブラウジングが実行されているクライアントＰＣを検出し、この検出されたクライアントＰＣで要求されている監視画面構成情報に含まれる監視データ識別情報のみに対応する監視データを取得するようにしてもよい。また、ＨＴＭＬ文書解析部に保存した監視データ識別情報を再度利用して一定期間ごとに監視データの取得を行う場合に、ブラウジングが実行されていない（検出されなかった）クライアントＰＣで利用される監視画面構成情報のみに含まれる監視データ識別情報に対応する監視データの取得周期を長くするようにしてもよい。このように構成することにより取得する監視データをさらに必要なものだけに絞り込むことができ、コントローラの処理負荷を低減させることができる。
【００４１】
また機器監視装置において、過去の監視画面情報要求の取得状況を参照し、監視画面情報要求の取得頻度が高い監視画面構成情報に含まれる監視データ識別情報に関しては監視員の注目度が高いと判断して監視データを取得する周期を短くし、精度の高い監視画面情報を生成するようにしてもよい。
【００４２】
また、クライアントＰＣで機器動作の監視が行われる時間帯を機器監視装置に予め設定しておき、この設定された時間帯のみ、監視データ保存処理が実行されるようにしてもよい。このように構成することにより、さらに機器監視装置およびコントローラの負荷を低減させることができる。
【００４３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４４】
１…監視システム
１０−１〜１０−ｎ…コントローラ
１１…計測部
１２…データ送信部
２０…機器監視装置
２１…監視画面構成情報保持部
２２…ＨＴＭＬ文書解析部
２３…監視データ取得部
２４…監視データ保存部
２５…監視画面情報生成部
３０−１〜３０−ｍ…クライアントＰＣ
３１…監視画面情報取得部
３２…モニタ
【図１】
2012163996.tif 000003
【図２】
2012163996.tif 000004
【図３】
2012163996.tif 000005